(57)【要約】【課題】作業時間の短縮化を図りながら、良好に防水機能を発揮することができるインバータ装置を提供すること。【解決手段】本体ケース１０の上面、下面及び両側面に設けられたカバー部材（３１，３２，３３，３４）と、互いに隣り合うカバー部材どうしを係合することにより本体ケース１０を囲繞するカバー体３０を構成する係合手段とを備え、係合手段は、互いに隣り合うカバー部材のいずれか一方において他方のカバー部材に向けて突出する態様で設けられ、かつその外縁部に先端に向かうに連れて本体ケース１０側に漸次傾斜する傾斜面３１３ａが形成された係合片３１３と、互いに隣り合うカバー部材のいずれか他方に形成され、かつ係合片３１３の相対的な進入を許容する係合溝３３１により構成され、係合片３１３の外縁部と係合溝３３１の内壁部３３１ａとを摺接させることにより係合片３１３が形成されたカバー部材を本体ケース１０に押圧させるものである。【選択図】図２
2012038751.tif 000002
【特許請求の範囲】
【請求項１】
前面に開口が形成され、かつ内部の収納域に各種回路部が収納された本体ケースと、
前記本体ケースの前面開口を閉塞する本体カバーと
を備えたインバータ装置において、
前記本体ケースの上面、下面及び両側面のそれぞれに、該本体ケースと前記本体カバーとの隙間、並びに該本体ケースに形成された隙間を覆う態様で設けられたカバー部材と、
互いに隣り合うカバー部材どうしを係合することにより前記本体ケースを囲繞するカバー体を構成する係合手段と
を備え、
前記係合手段は、互いに隣り合うカバー部材のいずれか一方において他方のカバー部材に向けて突出する態様で設けられ、かつその外縁部に先端に向かうに連れて前記本体ケース側に漸次傾斜する傾斜面が形成された係合片と、互いに隣り合うカバー部材のいずれか他方に形成され、かつ前記係合片の相対的な進入を許容する係合溝とにより構成され、
前記係合片の外縁部と前記係合溝の内壁部とを摺接させることにより前記係合片が形成されたカバー部材を前記本体ケースに押圧させることを特徴とするインバータ装置。
【請求項２】
前記係合手段を構成するカバー部材は、前記本体ケースと接触する際に自身が弾性変形するシール材が内面に付設してあることを特徴とする請求項１に記載のインバータ装置。
【発明の詳細な説明】
【技術分野】
【０００１】
本発明は、インバータ装置に関し、より詳細には、前面に開口が形成され、かつ内部の収納域に各種回路部が収納された本体ケースと、本体ケースの前面開口を閉塞する本体カバーとを備えたインバータ装置に関するものである。
【背景技術】
【０００２】
一般的に、商用の交流電源等から交流電力を受電し、任意の周波数及び電圧の交流電力に変換して出力することにより負荷を駆動するインバータ装置が知られている。
【０００３】
このようなインバータ装置においては、所望の周波数及び電圧の交流電力に出力する主回路部の他に、与えられた指令に応じて主回路部の動作を制御する部品が実装された制御回路基板を有する制御回路部が設けられており、これら主回路部及び制御回路部が本体ケース内にそれぞれユニット化されて収納されている。
【０００４】
このようなインバータ装置において、本体ケースの内部に外部から雨水等の水滴の浸入を規制する防水機能を確保した防水仕様のものが知られており、このような防水仕様のものとして、パッキン等を用いて密着性を向上させるものが提案されている（例えば、特許文献１参照）。
【先行技術文献】
【特許文献】
【０００５】
【特許文献１】特開２００８−１５４３３１号公報
【発明の概要】
【発明が解決しようとする課題】
【０００６】
ところが、上述したようなインバータ装置のようにパッキンを用いて密着性を向上させることで防水機能を確保したものでは、十分な防水性を確保するために必要となるパッキンの数が過大となり、これらパッキンを装着するのに要する作業時間が長大なものとなる虞れがある。
【０００７】
本発明は、上記実情に鑑みて、作業時間の短縮化を図りながら、良好に防水機能を発揮することができるインバータ装置を提供することを目的とする。
【課題を解決するための手段】
【０００８】
上記目的を達成するために、本発明の請求項１に係るインバータ装置は、前面に開口が形成され、かつ内部の収納域に各種回路部が収納された本体ケースと、前記本体ケースの前面開口を閉塞する本体カバーとを備えたインバータ装置において、前記本体ケースの上面、下面及び両側面のそれぞれに、該本体ケースと前記本体カバーとの隙間、並びに該本体ケースに形成された隙間を覆う態様で設けられたカバー部材と、互いに隣り合うカバー部材どうしを係合することにより前記本体ケースを囲繞するカバー体を構成する係合手段とを備え、前記係合手段は、互いに隣り合うカバー部材のいずれか一方において他方のカバー部材に向けて突出する態様で設けられ、かつその外縁部に先端に向かうに連れて前記本体ケース側に漸次傾斜する傾斜面が形成された係合片と、互いに隣り合うカバー部材のいずれか他方に形成され、かつ前記係合片の相対的な進入を許容する係合溝とにより構成され、前記係合片の外縁部と前記係合溝の内壁部とを摺接させることにより前記係合片が形成されたカバー部材を前記本体ケースに押圧させることを特徴とする。
【０００９】
また、本発明の請求項２に係るインバータ装置は、上述した請求項１において、前記係合手段を構成するカバー部材は、前記本体ケースと接触する際に自身が弾性変形するシール材が内面に付設してあることを特徴とする。
【発明の効果】
【００１０】
本発明のインバータ装置によれば、係合手段が互いに隣り合うカバー部材のいずれか一方において他方のカバー部材に向けて突出する態様で設けられ、かつその外縁部に先端に向かうに連れて本体ケース側に漸次傾斜する傾斜面が形成された係合片と、互いに隣り合うカバー部材のいずれか他方に形成され、かつ係合片の相対的な進入を許容する係合溝とにより構成され、係合片の外縁部と係合溝の内壁部とを摺接させることにより係合片が形成されたカバー部材を本体ケースに押圧させるので、各カバー部材を個別に本体ケースに取り付けるのに対して作業が容易なものとなり、作業時間の短縮化を図ることができる。また、係合片が形成されたカバー部材を本体ケースに押圧させるので、防水機能を良好に発揮することができる。従って、作業時間の短縮化を図りながら、良好に防水機能を発揮することができるという効果を奏する。
【図面の簡単な説明】
【００１１】
【図１】図１は、本発明の実施の形態であるインバータ装置を模式的に示す斜視図である。
【図２】図２は、図１に示したインバータ装置の分解斜視図である。
【図３】図３は、図２に示したインバータ装置の要部、すなわち右側面カバーと下カバーとを拡大して示す拡大分解斜視図である。
【図４】図４は、下カバーの取付手順を模式的に示す説明図である。
【図５】図５は、下カバーの取付手順を模式的に示す説明図である。
【発明を実施するための形態】
【００１２】
以下に添付図面を参照して、本発明に係るインバータ装置の好適な実施の形態について詳細に説明する。
【００１３】
図１は、本発明の実施の形態であるインバータ装置を模式的に示す斜視図であり、図２は、図１に示したインバータ装置の分解斜視図である。ここに例示するインバータ装置は、本体ケース１０と、本体カバー２０と、カバー体３０とを備えて構成してある。
【００１４】
本体ケース１０は、前面に開口１１が形成された筐体であり、図には明示していない主回路部と制御回路部とがそれぞれユニット化されて内部に収納されている。主回路部は、商用電源からの供給された交流電力を所望の周波数及び電圧の交流電力に変換して出力するダイオードやＩＧＢＴ等の半導体素子からなるインバータ主回路を有しており、電解コンデンサや冷却用フィンとともに本体ケース１０の内部にある座壁１２の後方側にある収納域１３に収納されている。制御回路部は、上記座壁１２の前方側にある収納域１４に収納されている。この制御回路部は、制御回路基板を備えている。ここで制御回路基板は、種々の制御回路部品が実装されており、より詳細には、与えられた指令に応じて主回路部の動作を制御する部品、つまりインバータ主回路における電力変換するためのインバータ用スイッチング素子（ＩＧＢＴ等）のスイッチングを制御する制御回路部品等が実装されている。
【００１５】
本体カバー２０は、ネジ等の締結部材（図示せず）を介して本体ケース１０の前面開口１１を閉塞するものである。この本体カバー２０には、図には明示しないが、操作パネル等が配設されている。
【００１６】
カバー体３０は、本体ケース１０を囲繞するものであり、右側面カバー３１、左側面カバー３２、下カバー３３及び上カバー３４を備えて構成してある。
【００１７】
右側面カバー３１は、例えば板金等を屈曲加工して形成されるものであり、本体ケース１０の右側面を覆う態様で、より詳細には、本体ケース１０と本体カバー２０との隙間、並びに本体ケース１０に形成された隙間を覆う態様で配設されるものである。このような右側面カバー３１の左側面（内面）には、例えばスポンジゴム等の弾性材料から構成されるシール材４１が付設してある。このシール材４１は、右側面カバー３１が本体ケース１０の右側面に接触する際に弾性変形して密着性を向上させるものである。
【００１８】
また、右側面カバー３１は、その前端部３１１及び後端部３１２がともに右方に向けて屈曲されて形成されており、これら前端部３１１及び後端部３１２のそれぞれの上端部分及び下端部分には、それぞれ上方及び下方に向けて突出する態様で係合片３１３が形成してある。この係合片３１３には、図３に拡大して示すように、その外縁部（右縁部）に先端に向かうに連れて本体ケース１０側（左側）に漸次傾斜する傾斜面３１３ａが形成されている。
【００１９】
左側面カバー３２は、例えば板金等を屈曲加工して形成されるものであり、本体ケース１０の左側面を覆う態様で、より詳細には、本体ケース１０と本体カバー２０との隙間、並びに本体ケース１０に形成された隙間を覆う態様で配設されるものである。このような左側面カバー３２の右側面（内面）には、例えばスポンジゴム等の弾性材料から構成されるシール材４２が付設してある。このシール材４２は、左側面カバー３２が本体ケース１０の左側面に接触する際に弾性変形して密着性を向上させるものである。
【００２０】
また、左側面カバー３２は、その前端部３２１及び後端部３２２がともに左方に向けて屈曲されて形成されており、これら前端部３２１及び後端部３２２のそれぞれの上端部分及び下端部分には、それぞれ上方及び下方に向けて突出する態様で係合片３２３が形成してある。この係合片３２３には、図には特に明示しないが、右側面カバー３１と同様にその外縁部（左縁部）に先端に向かうに連れて本体ケース１０側（右側）に漸次傾斜する傾斜面が形成されている。
【００２１】
下カバー３３は、例えば板金等を屈曲加工して形成されるものであり、本体ケース１０の下面を覆う態様で、より詳細には、本体ケース１０と本体カバー２０との隙間、並びに本体ケース１０に形成された隙間を覆う態様で配設されるものである。このような下カバー３３の上面（内面）にも、図には明示しないが、例えばスポンジゴム等の弾性材料から構成されるシール材が付設してある。このシール材は、下カバー３３が本体ケース１０の下面に接触する際に弾性変形して密着性を向上させるものである。
【００２２】
また、下カバー３３の前縁部及び後縁部には、図３に拡大して示すように、係合溝３３１が設けてある。かかる係合溝３３１は、右側面カバー３１及び左側面カバー３２に形成された係合片３１３，３２３が相対的に進入することを許容するものである。
【００２３】
つまり、互い隣り合うカバー部材である右側面カバー３１と下カバー３３とにおいて、一方側である右側面カバー３１には、下カバー３３に向けて突出する態様で設けられ、その外縁部に先端に向かうに連れて本体ケース１０側に漸次傾斜する傾斜面３１３ａが形成された係合片３１３が形成され、他方側である下カバー３３には、この係合片３１３の相対的な進入を許容する係合溝３３１が形成してある。
【００２４】
また、互い隣り合うカバー部材である左側面カバー３２と下カバー３３とにおいて、一方側である左側面カバー３２には、下カバー３３に向けて突出する態様で設けられ、その外縁部に先端に向かうに連れて本体ケース１０側に漸次傾斜する傾斜面が形成された係合片３２３が形成され、他方側である下カバー３３には、この係合片３２３の相対的な進入を許容する係合溝３３１が形成してある。
【００２５】
上カバー３４は、例えば板金等を屈曲加工して形成されるものであり、本体ケース１０の上面を覆う態様で、より詳細には、本体ケース１０と本体カバー２０との隙間、並びに本体ケース１０に形成された隙間を覆う態様で配設されるものである。このような上カバー３４の下面（内面）にも、図には明示しないが、例えばスポンジゴム等の弾性材料から構成されるシール材が付設してある。このシール材は、上カバー３４が本体ケース１０の上面に接触する際に弾性変形して密着性を向上させるものである。
【００２６】
また、上カバー３４の前縁部及び後縁部にも係合溝３４１が設けてある。かかる係合溝３４１は、右側面カバー３１及び左側面カバー３２に形成された係合片３１３，３２３が相対的に進入することを許容するものである。
【００２７】
つまり、互い隣り合うカバー部材である右側面カバー３１と上カバー３４とにおいて、一方側である右側面カバー３１には、上カバー３４に向けて突出する態様で設けられ、その外縁部に先端に向かうに連れて本体ケース１０側に漸次傾斜する傾斜面３１３ａが形成された係合片３１３が形成され、他方側である上カバー３４には、この係合片３１３の相対的な進入を許容する係合溝３４１が形成してある。
【００２８】
また、互い隣り合うカバー部材である左側面カバー３２と上カバー３４とにおいて、一方側である左側面カバー３２には、上カバー３４に向けて突出する態様で設けられ、その外縁部に先端に向かうに連れて本体ケース１０側に漸次傾斜する傾斜面が形成された係合片３２３が形成され、他方側である上カバー３４には、この係合片３２３の相対的な進入を許容する係合溝３４１が形成してある。
【００２９】
このようなカバー体３０は、次のようにして本体ケース１０に取り付けられる。尚、本体ケース１０には本体カバー２０が取り付けられているものとする。
【００３０】
まず、右側面カバー３１及び左側面カバー３２をそれぞれ本体ケース１０の右側面及び左側面を覆うようにして取り付ける。より詳細には、ネジ等の締結部材５１，５２を用いて取り付ける。次に、下カバー３３及び上カバー３４をそれぞれ本体ケース１０の上面及び下面を覆うようにして、ネジ等の締結部材５３，５４を用いて右側面カバー３１及び左側面カバー３２に取り付けることにより、カバー体３０が本体ケース１０に取り付けられる。このことについて図４及び図５を用いて詳細に説明する。尚、図４及び図５では、カバー体３０の要部として右側面カバー３１と下カバー３３とを示しているが、左側面カバー３２と下カバー３３、右側面カバー３１と上カバー３４、並びに左側面カバー３２と上カバー３４とについても同様である。
【００３１】
図４に示すように、右側面カバー３１の係合片３１３の先端が下カバー３３の係合溝３３１に相対的に進入させ、右側面カバー３１及び下カバー３３に形成された貫通孔３１ａ，３３ａを挿通する態様でネジ等の締結部材５３を進入させる。そしてこの締結部材５３を自身の軸心回りに回転させることにより、下カバー３３が上方に向けて変位し、これにより係合片３１３が係合溝３３１に更に相対的に進入して係合溝３３１の内壁部３３１ａが係合片３１３の外縁部と摺接する。ここで係合片３１３の外縁部には傾斜面３１３ａが形成してあるので、かかる傾斜面３１３ａと内壁部３３１ａとが摺接することで、右側面カバー３１は、本体ケース１０を押圧することになる。そして、内壁部３３１ａが傾斜面３１３ａを超えて係合溝３３１の外縁部を摺接することで、右側面カバー３１は、本体ケース１０を更に押圧する。そして、図５に示すように、下カバー３３が右側面カバー３１の前縁部３１１及び後縁部３１２（図２参照）に当接することで、下カバー３３の取り付けが完了する。つまり、下カバー３３及び上カバー３４を右側面カバー３１及び左側面カバー３２に取り付けることにより、右側面カバー３１及び左側面カバー３２は、本体ケース１０を押圧することになる。
【００３２】
以上説明したように、本実施の形態であるインバータ装置においては、下カバー３３及び上カバー３４を右側面カバー３１及び左側面カバー３２に取り付けることにより、右側面カバー３１及び左側面カバー３２を本体ケース１０に押圧させるので、従来のように各カバー部材を個別に本体ケースに取り付けるのに対して作業が容易なものとなり、作業時間の短縮化を図ることができる。また、右側面カバー３１及び左側面カバー３２が本体ケース１０を押圧するので、防水機能を良好に発揮することができる。従って、作業時間の短縮化を図りながら、良好に防水機能を発揮することができる。
【００３３】
また、上記インバータ装置によれば、パッキンを必要としないので、パッキンに要するコストを削減することができ、コストの低減化を図ることができる。
【００３４】
以上、本発明の好適な実施の形態について説明したが、本発明はこれに限定されるものではなく、種々の変更を行うことができる。
【００３５】
すなわち、上述した実施の形態では、右側面カバー３１及び左側面カバー３２に係合片３１３，３２３が形成され、かつ下カバー３３及び上カバー３４に係合溝３３１，３４１が形成されていたが、本発明においては、下カバー３３及び上カバー３４に係合片が形成され、かつ右側面カバー３１及び左側面カバー３２に係合溝が形成されていてもよい。これによっても、作業時間の短縮化を図りながら、良好に防水機能を発揮することができる、という作用効果を奏することができる。
【産業上の利用可能性】
【００３６】
以上のように、本発明に係るインバータ装置は、商用電源からの供給電力に基づいて負荷を駆動するのに有用である。
【符号の説明】
【００３７】
１０  本体ケース
１１  前面開口
１３  収納域
１４  収納域
２０  本体カバー
３０  カバー体
３１  右側面カバー
３１１  前縁部
３１２  後縁部
３１３  係合片
３１３ａ  傾斜面
３２  左側面カバー
３２１  前縁部
３２２  後縁部
３２３  係合片
３３  下カバー
３３１  係合溝
３３１ａ  内壁部
３４  上カバー
３４１  係合溝
４１  シール材
４２  シール材
【図１】
2012038751.tif 000003
【図２】
2012038751.tif 000004
【図３】
2012038751.tif 000005
【図４】
2012038751.tif 000006
【図５】
2012038751.tif 000007